(57)【要約】【課題】複数の復水器のそれぞれの冷却管が直列に接続されている場合に、この冷却管に引っ掛かった異物を良好に除去できること。【解決手段】復水器１に、冷却水７ａ、７ｂをそれぞれ流す冷却管４ａ、４ｂが、復水器２に、冷却水８ａ、８ｂをそれぞれ流す冷却管５ａ、５ｂが、復水器３に、冷却水９ａ、９ｂをそれぞれ流す冷却管６ａ、６ｂが設けられ、冷却管４ａ、５ａ及び６ａと、冷却管４ｂ、５ｂ及び６ｂとがそれぞれ直列に接続され、これらの冷却管を洗浄する復水器洗浄システムＡであって、冷却水の流れの最上流に位置する復水器１の少なくとも１本の冷却管４ａまたは４ｂ内に冷却水７ａまたは７ｂを逆流させることで、これらの冷却管４ａ、４ｂを洗浄するものである。【選択図】  図１
2011052920.tif 000002
【特許請求の範囲】
【請求項１】
複数の復水器のそれぞれに、冷却水を流す冷却管が複数系統設けられ、前記各復水器の各系統の前記冷却管が直列に接続され、これらの冷却管を洗浄する復水器洗浄システムであって、
冷却水の流れの最上流に位置する前記復水器における複数系統の前記冷却管のそれぞれに冷却水を流入させる複数の流入配管のそれぞれに入口弁が配設され、
冷却水の流れの最上流に位置する前記復水器における複数系統の前記冷却管のそれぞれから冷却水を流出させる複数の流出配管のそれぞれに出口弁が配設され、
複数の前記流入配管には、前記入口弁の上流側を接続可能な入口側連絡弁を備えた入口側接続管が設けられ、
複数の前記流出配管には、前記出口弁の下流側を接続可能な出口側連絡弁を備えた出口側接続管が設けられ、
複数の前記流入配管には、前記入口弁の下流側から、排出弁を備えた排出管が分岐して設けられ、
前記入口弁、前記出口弁、前記入口側連絡弁、前記出口側連絡弁及び前記排出弁の開閉を切り替えることで、冷却水の流れの最上流に位置する前記復水器の少なくとも１本の前記冷却管内に冷却水が逆流し得るよう構成されたことを特徴とする復水器洗浄システム。
【請求項２】
複数の復水器のそれぞれに、冷却水を流す冷却管が複数系統設けられ、前記各復水器の各系統の前記冷却管が直列に接続され、これらの冷却管を洗浄する復水器洗浄システムであって、
前記各復水器における複数系統の前記冷却管のそれぞれに冷却水を流入させる複数の流入配管のそれぞれに入口弁が配設され、
前記各復水器における複数系統の前記冷却管のそれぞれから冷却水を流出させる複数の流出配管のそれぞれに出口弁が配設され、
前記各復水器の複数の前記流入配管には、前記入口弁の上流側を接続可能な入口側連絡弁を備えた入口側接続管が設けられ、
前記各復水器の複数の前記流出配管には、前記出口弁の下流側を接続可能な出口側連絡弁を備えた出口側接続管が設けられ、
前記各復水器の複数の前記流入配管には、前記入口弁の下流側から、排出弁を備えた排出管が分岐して設けられ、
前記入口弁、前記出口弁、前記入口側連絡弁、前記出口側連絡弁及び前記排出弁の開閉を切り替えることで、前記各復水器の少なくとも１本の前記冷却管内に冷却水が逆流し得るよう構成されたことを特徴とする復水器洗浄システム。
【請求項３】
前記復水器の冷却管内に冷却水を逆流させるべく入口弁、出口弁、入口側連絡弁、出口側連絡弁及び排出弁の開閉を切り替える切替動作は、異物検出信号に基づいて制御装置が実行することを特徴とする請求項１または２に記載の復水器洗浄システム。
【請求項４】
前記復水器の冷却管内に冷却水を逆流させるべく入口弁、出口弁、入口側連絡弁、出口側連絡弁及び排出弁の開閉を切り替える切替動作は、制御装置がタイマーに基づいて定期的に実行することを特徴とする請求項１または２に記載の復水器洗浄システム。
【請求項５】
前記異物検出信号は、復水器の各系統の冷却管における入口圧力と出口圧力の圧力差が所定値以上に増加したときに出力されることを特徴とする請求項３に記載の復水器洗浄システム。
【請求項６】
前記異物検出信号は、復水器の器内圧力が所定値以上に増加したときに出力されることを特徴とする請求項３に記載の復水器洗浄システム。
【請求項７】
前記各復水器において冷却管が２系統設けられたことを特徴とする請求項１または２に記載の復水器洗浄システム。
【請求項８】
複数の復水器のそれぞれに、冷却水を流す冷却管が複数系統設けられ、前記各復水器の各系統の前記冷却管が直列に接続され、これらの冷却管を洗浄する復水器洗浄方法であって、
冷却水の流れの最上流に位置する前記復水器の少なくとも１本の前記冷却管内に冷却水を逆流させることで、この冷却管を洗浄することを特徴とする復水器洗浄方法。
【請求項９】
複数の復水器のそれぞれに、冷却水を流す冷却管が複数系統設けられ、前記各復水器の各系統の前記冷却管が直列に接続され、これらの冷却管を洗浄する復水器洗浄方法であって、
前記各復水器の少なくとも１本の前記冷却管内に冷却水を逆流させることで、この冷却管を洗浄することを特徴とする復水器洗浄方法。
【請求項１０】
前記各復水器において冷却管が２系統設けられたことを特徴とする請求項８または９に記載の復水器洗浄方法。
【発明の詳細な説明】
【技術分野】
【０００１】
本発明は、複数の復水器のそれぞれに、冷却水を流す冷却管が複数系統設けられ、各復水器の各系統の冷却管が直列に接続され、これらの冷却管を洗浄する復水器洗浄システム及び方法に関する。
【背景技術】
【０００２】
通常、発電出力１０００ＭＷ級の大容量の原子力発電所において、発電機を回転させる蒸気タービンとしては、原子炉で発生した蒸気にて駆動する高圧タービンと、この高圧タービンで仕事をしたあとの蒸気にて駆動する低圧タービンにより構成されるのが一般的である。
【０００３】
この低圧タービンは、２台あるいは３台の複数台が設置され、この複数台の低圧タービンで仕事をして排出される蒸気は、２胴あるいは３胴の複数の復水器に導かれるのが一般的である。
【０００４】
以下、図７において、３胴の復水器を有する場合について説明する。
【０００５】
３胴の復水器１、２、３の内部にはそれぞれ冷却管４、５、６が設置され、これらの冷却管４、５、６の内側に冷却水７、８、９が流される。３台の低圧タービン１０、１１、１２で仕事をして排出され復水器１、２、３に導かれた蒸気１３、１４、１５は、復水器１、２、３のそれぞれの内部で各冷却管４、５、６の外側を通過する際に、冷却管４、５、６の内部を流れる冷却水７、８、９と熱交換することにより蒸気から復水に凝縮されて、復水器１、２、３のそれぞれの下部のホットウェル１６、１７、１８に溜まる。これらのホットウェル１６、１７、１８に溜まった復水１９、２０、２１は、復水器１、２、３の近傍に設置された復水ポンプ２２により排出され、更には給水ポンプ２３により昇圧されて原子炉２４に導かれる。
【０００６】
尚、復水ポンプ２２は低圧復水ポンプと称する場合があり、この場合には、更にその下流側に高圧復水ポンプと称するポンプが設置されることがある。
【０００７】
上述した復水器１、２、３のそれぞれの冷却管４、５、６の内部を流れる冷却水７、８、９は、複数の復水器１、２、３に並列的に導入される場合と、直列的に導入される場合とがある。
【０００８】
即ち、前者（並列的な導入）の場合には、図７に示すように、循環水配管２７、分岐流入配管２８、２９、３０、分岐流出配管３１、３２、３３及び循環水配管３４を経て、複数の復水器１、２、３にそれぞれ同一温度かつ同一流量の冷却水が導入される。従って、低圧タービン１０、１１、１２で仕事をして排出され復水器１、２、３に導かれた蒸気１３、１４、１５は、複数の復水器１、２、３においてそれぞれ同一の条件で熱交換が行われる。
【０００９】
一方、後者（直列的な導入）の場合には、図８に示すように、循環水配管２７、３５、３６、３４を経て、複数の復水器１、２、３に順次冷却水７、８、９が導入されるので、先に冷却水が導入される復水器（例えば復水器１）においては冷却水の温度が低く、あとに冷却水が導入される復水器（例えば復水器３）においては冷却水の温度が高くなる。従って、低圧タービン１０、１１、１２で仕事をして排出され復水器１、２、３に導かれた蒸気１３、１４、１５は、複数の復水器１、２、３においてそれぞれ異なる条件で熱交換が行われる。復水器１、２、３のそれぞれの内部の冷却管４、５、６の外側で蒸気１３、１４、１５が復水に凝縮される際には、これらの蒸気１３、１４、１５が飽和状態になるため、複数の復水器１、２、３において冷却水７、８、９の温度が異なる場合、復水器１、２、３のそれぞれの内部の冷却管４、５、６の外側の圧力が異なることになる。このように器内圧力が異なる複数の復水器を、一般的に「複圧式復水器」と呼んでいる。
【００１０】
ここで、図７及び図８において、符号２５は高圧タービン、符号２６は発電機であり、原子炉２４で発生した蒸気が高圧タービン２５で仕事をし、低圧タービン１０、１１、１２で仕事をして発電機２６を回転させる。
【００１１】
ところで、特許文献１では、復水器の上流側に異物除去装置を設置し、この異物除去装置において、バタフライ弁を入口管の入口部に接続し、バタフライ弁の開度を変えることにより流体を渦流にして異物を異物除去装置から排出、つまり復水器冷却水系から除去するものである。また、特許文献２は、復水器の冷却管内にボールを流して冷却管内を洗浄するボール洗浄装置に関するものが提案されている。
【先行技術文献】
【特許文献】
【００１２】
【特許文献１】特開昭５９−８２９８４号公報
【特許文献２】特開２０００−３９２９５号公報
【発明の概要】
【発明が解決しようとする課題】
【００１３】
復水器１、特に図８に示す複圧式復水器のうちの、復水器１に冷却水を導入する循環水配管２７は、外径寸法が例えば約３ｍの大口径であるのに対し、復水器１内部の冷却管４の外径寸法は例えば３ｃｍ程度であるのが一般的である。このため、循環水配管２７から導入される冷却水にゴミや海棲生物等の異物が混入していた場合、この異物が冷却管４の入口部分に引っ掛かる恐れがあり、これにより冷却管４が詰まってしまい、冷却水７が正常に流れなくなるという恐れがあった。
【００１４】
また、複圧式復水器の場合には、冷却水が復水器１→復水器２→復水器３の順に流れるため、配管口径の大きな循環水配管２７から流れ込んだゴミ等の異物が引っ掛かるのは最上流の復水器１における冷却管４の入口部分であり、その下流側の復水器２の冷却管５の入口部分、および復水器３の冷却管６の入口部分に引っ掛かるゴミ等の異物は少ないと考えられる。しかしながら、例えば楕円形状のような異物の場合、たまたま復水器１の冷却管４の入口部分に引っ掛からずに通過し、下流側の復水器２の冷却管５の入口部分、または復水器３の冷却管６の入口部分に引っ掛かることもあり得る。
【００１５】
また、特許文献１及び２には、複数の復水器のそれぞれの冷却管が直列に接続されて、各復水器の器内圧力が異なる複圧式の復水器についての記載はなく、従って、これらの復水器の冷却管を洗浄することについても開示されていない。
【００１６】
本発明の目的は、上述の事情を考慮してなされたものであり、複数の復水器のそれぞれの冷却管が直列に接続されている場合に、この冷却管に引っ掛かった異物を良好に除去できる復水器洗浄システム及び方法を提供することにある。
【課題を解決するための手段】
【００１７】
本発明に係る復水器洗浄システムは、複数の復水器のそれぞれに、冷却水を流す冷却管が複数系統設けられ、前記各復水器の各系統の前記冷却管が直列に接続され、これらの冷却管を洗浄する復水器洗浄システムであって、冷却水の流れの最上流に位置する前記復水器における複数系統の前記冷却管のそれぞれに冷却水を流入させる複数の流入配管のそれぞれに入口弁が配設され、冷却水の流れの最上流に位置する前記復水器における複数系統の前記冷却管のそれぞれから冷却水を流出させる複数の流出配管のそれぞれに出口弁が配設され、複数の前記流入配管には、前記入口弁の上流側を接続可能な入口側連絡弁を備えた入口側接続管が設けられ、複数の前記流出配管には、前記出口弁の下流側を接続可能な出口側連絡弁を備えた出口側接続管が設けられ、複数の前記流入配管には、前記入口弁の下流側から、排出弁を備えた排出管が分岐して設けられ、前記入口弁、前記出口弁、前記入口側連絡弁、前記出口側連絡弁及び前記排出弁の開閉を切り替えることで、冷却水の流れの最上流に位置する前記復水器の少なくとも１本の前記冷却管内に冷却水が逆流し得るよう構成されたことを特徴とするものである。
【００１８】
また、本発明に係る復水器洗浄方法は、複数の復水器のそれぞれに、冷却水を流す冷却管が複数系統設けられ、前記各復水器の各系統の前記冷却管が直列に接続され、これらの冷却管を洗浄する復水器洗浄方法であって、冷却水の流れの最上流に位置する前記復水器の少なくとも１本の前記冷却管内に冷却水を逆流させることで、この冷却管を洗浄することを特徴とするものである。
【００１９】
更に、本発明に係る復水器洗浄システムは、複数の復水器のそれぞれに、冷却水を流す冷却管が複数系統設けられ、前記各復水器の各系統の前記冷却管が直列に接続され、これらの冷却管を洗浄する復水器洗浄システムであって、前記各復水器における複数系統の前記冷却管のそれぞれに冷却水を流入させる複数の流入配管のそれぞれに入口弁が配設され、前記各復水器における複数系統の前記冷却管のそれぞれから冷却水を流出させる複数の流出配管のそれぞれに出口弁が配設され、前記各復水器の複数の前記流入配管には、前記入口弁の上流側を接続可能な入口側連絡弁を備えた入口側接続管が設けられ、前記各復水器の複数の前記流出配管には、前記出口弁の下流側を接続可能な出口側連絡弁を備えた出口側接続管が設けられ、前記各復水器の複数の前記流入配管には、前記入口弁の下流側から、排出弁を備えた排出管が分岐して設けられ、前記入口弁、前記出口弁、前記入口側連絡弁、前記出口側連絡弁及び前記排出弁の開閉を切り替えることで、前記各復水器の少なくとも１本の前記冷却管内に冷却水が逆流し得るよう構成されたことを特徴とするものである。
【００２０】
また、本発明に係る復水器洗浄方法は、複数の復水器のそれぞれに、冷却水を流す冷却管が複数系統設けられ、前記各復水器の各系統の前記冷却管が直列に接続され、これらの冷却管を洗浄する復水器洗浄方法であって、前記各復水器の少なくとも１本の前記冷却管内に冷却水を逆流させることで、この冷却管を洗浄することを特徴とするものである。
【発明の効果】
【００２１】
本発明に係る復水器洗浄システム及び方法によれば、冷却水の流れの最上流に位置する復水器の冷却管には、入口部分に冷却水中の異物が引っ掛かる可能性があるが、この復水器の少なくとも１本の冷却管内で冷却水を逆流させてこの冷却管を洗浄することにより、この冷却管の入口部分に引っ掛かった異物を良好に除去できる。
【００２２】
本発明に係る復水器洗浄システム及び方法によれば、冷却水の流れの最上流に位置する復水器の冷却管には、入口部分に冷却水中の異物が引っ掛かる可能性が高いが、異物の形状（例えば楕円形状）によっては下流側の復水器の冷却管に異物が引っ掛かる場合がある。そこで、複数の各復水器の少なくとも１本の冷却管内で冷却水を逆流させてこの冷却管を洗浄することにより、各復水器の冷却管の入口部分に引っ掛かった異物を良好に除去できる。
【図面の簡単な説明】
【００２３】
【図１】本発明に係る復水器洗浄システムにおける第１の実施の形態を示す平面視系統図。
【図２】図１の復水器洗浄システムにおける洗浄時の冷却水の流れを示す平面視系統図。
【図３】図１の復水器洗浄システムにおける他の洗浄時の冷却水の流れを示す平面視系統図。
【図４】本発明に係る復水器洗浄システムにおける第２の実施の形態を示す平面視系統図。
【図５】図４の復水器洗浄システムにおける洗浄時の冷却水の流れを示す平面視系統図。
【図６】図４の復水器洗浄システムにおける他の洗浄時の冷却水の流れを示す平面視系統図。
【図７】従来の蒸気タービンを用いた一般的な発電系統を示す側面視系統図。
【図８】従来の蒸気タービンを用い、複圧式復水器を備えた発電系統を示す側面視系統図。
【発明を実施するための形態】
【００２４】
以下、本発明を実施するための最良の形態を、図面に基づき説明する。
【００２５】
［Ａ］第１実施の形態（図１〜図３）
蒸気タービンを用いた複圧式復水器を備えた発電系統では、図１に示す復水器洗浄システムＡが採用される。本実施の形態において、前記背景技術と同様な部分については、同一の符号を用いる。図１の復水器１、２、３の上方に低圧タービン１０、１１、１２がそれぞれ設置され、この低圧タービン１０、１１、１２でそれぞれ仕事した蒸気１３、１４、１５が復水器１、２、３のそれぞれの内部を下方へ流れる間に、後述の冷却水７ａ、７ｂ、８ａ、８ｂ、９ａ、９ｂにより凝縮されて復水１９、２０、２１となる。
【００２６】
これらの復水器１、２、３のそれぞれには、冷却水を流す冷却管が複数系統、本実施の形態では２系統設置されている。つまり、復水器１には、冷却水７ａが流れる冷却管４ａと、冷却水７ｂが流れる冷却管４ｂとが設置される。また、復水器２には、冷却水８ａが流れる冷却管５ａと、冷却水８ｂが流れる冷却管５ｂとが設置される。更に復水器３には、冷却水９ａが流れる冷却管６ａと、冷却水９ｂが流れる冷却管６ｂとが設置される。
【００２７】
そして、復水器１の冷却管４ａは、入口水室３７ａを経て循環水配管２７ａに接続されると共に、入口水室３８ａを経て循環水配管３５ａに接続される。復水器２の冷却管５ａは、入口水室３９ａを経て前記循環水配管３５ａに接続されると共に、出口水室４０ａを経て循環水配管３６ａに接続される。復水器３の冷却管６ａは、入口水室４１ａを経て前記循環水配管３６ａに接続されると共に、出口水室４２ａを経て循環水配管３４ａに接続される。
【００２８】
また、復水器１の冷却管４ｂは、入口水室３７ｂを経て循環水配管２７ｂに接続されると共に、出口水室３８ｂを経て循環水配管３５ｂに接続される。復水器２の冷却管５ｂは、入口水室３９ｂを経て前記循環水配管３５ｂに接続されると共に、出口水室４０ｂを経て循環水配管３６ｂに接続される。復水器３の冷却管６ｂは、入口水室４１ｂを経て前記循環水配管３６ｂに接続されると共に、出口水室４２ｂを経て循環水配管３４ｂに接続される。
【００２９】
このように、循環水配管２７ａ、復水器１の冷却管４ａ、循環水配管３５ａ、復水器２の冷却管５ａ、循環水配管３６ａ、復水器３の冷却管６ａ及び循環水配管３４ａが直列に接続されている。さらに、循環水配管２７ｂ、復水器１の冷却管４ｂ、循環水配管３５ｂ、復水器２の冷却管５ｂ、循環水配管３６ｂ、復水器３の冷却管６ｂ及び循環水配管３４ｂが直列に接続されている。これにより、復水器１の冷却管４ａ、４ｂ内をそれぞれ流れる冷却水７ａ、７ｂの温度が最も低くなり、従って、復水器１の器内圧力は真空に最も近い圧力になる。これに対し、復水器２の冷却管５ａ、５ｂ内をそれぞれ流れる冷却水８ａ、８ｂの温度は冷却水７ａ、７ｂよりも高く、従って、復水器２の器内圧力は復水器１の器内圧力よりも高くなる。更に、復水器３の冷却管６ａ、６ｂ内をそれぞれ流れる冷却水９ａ、９ｂの温度は冷却水８ａ、８ｂよりも高く、従って、復水器３の器内圧力は復水器２の器内圧力よりも高くなる。
【００３０】
このため、これらの復水器１、２、３は、器内圧力が異なる複圧式の復水器となっている。この複圧式復水器では、器内圧力が最も真空に近く真空度の高い復水器１が熱交換効率が最も高く、次に復水器２の熱交換効率が高く、復水器３の熱交換効率が最も低くなっている。
【００３１】
さて、本実施の形態において、冷却水の流れの最上流に位置する復水器１における冷却管４ａ、４ｂのそれぞれに冷却水７ａ、７ｂを流入させる流入配管としての循環水配管２７ａ、２７ｂのそれぞれには、復水器１の入口水室３７ａ、３７ｂの近傍に入口弁Ｖ１、Ｖ２がそれぞれ配設されている。更に、復水器１の冷却管４ａ、４ｂのそれぞれから冷却水７ａ、７ｂを流出させる流出配管としての循環水配管３５ａ、３５ｂのそれぞれには、復水器１の出口水室３８ａ、３８ｂの近傍に出口弁Ｖ３、Ｖ４がそれぞれ配設されている。
【００３２】
循環水配管２７ａ、２７ｂには、それぞれの入口弁Ｖ１、Ｖ２の上流側を接続可能な入口側連絡弁Ｖ５を備えた入口側接続管４３が連結されている。更に、循環水配管３５ａ、３５ｂには、それぞれの出口弁Ｖ３、Ｖ４の下流側を接続可能な出口側連絡弁４６を備えた出口側接続管４４が連結されている。
【００３３】
循環水配管２７ａには、復水器１の入口水室３７ａの近傍で入口弁Ｖ１の下流側から、出口弁Ｖ７を備えた出口管４５が分岐して接続されている。また、循環水配管２７ｂには、復水器１の入口水室３７ｂの近傍で入口弁Ｖ２の下流側から、排出弁Ｖ８を備えた排出管４６が分岐して接続されている。
【００３４】
これらの入口弁Ｖ１、Ｖ２、出口弁Ｖ３、Ｖ４、入口側連絡弁Ｖ５、出口側連絡弁Ｖ６、排出弁Ｖ７、Ｖ８の開閉の切替（後に詳説）を制御装置４７が実行することで、復水器１の少なくとも１本の冷却管４ａまたは４ｂ内で冷却水を逆流させてこの冷却管４ａまたは４ｂを洗浄する。つまり、図２に示すように、冷却管４ａ内で冷却水７ａを逆流させてこの冷却管４ａ内を洗浄し、冷却管４ａの入口部分に引っ掛かったゴミや海棲生物等の異物を排出管４５から排出する。また、図３に示すように、冷却管４ｂ内で冷却水７ｂを逆流させてこの冷却管４ｂ内を洗浄し、冷却管４ｂの入口部分に引っ掛かった上記異物を排出管４６から排出する。
【００３５】
図１に示す制御装置４７は、各弁Ｖ１〜Ｖ８の開閉の切替を、異物検出信号に基づいて適宜実行し、またはタイマー（例えば内蔵タイマー４８）によって定期的に実行する。前記異物検出信号は、復水器１の冷却管４ａにおける入口圧力Ｐ１（つまり入口水室３７ａ内の圧力）と出口圧力Ｐ２（つまり出口水室３８ａ内の圧力）との圧力差が所定値以上に増加したとき（Ｐ２≪Ｐ１）に、冷却管４ａの入口部分に異物が引っ掛かっていると判断して制御装置４７が出力するものである。また、この異物検出信号は、復水器１の冷却管４ｂにおける入口圧力Ｐ３（つまり入口水室３７ｂ内の圧力）と出口圧力Ｐ４（つまり出口水室３８ｂ内の圧力）との圧力差が所定値以上に増加したとき（Ｐ４≪Ｐ３）に、冷却管４ｂの入口部分に異物が引っ掛かっていると判断して制御装置４７が出力するものである。
【００３６】
尚、前記異物検出信号は、復水器１の器内圧力が所定値以上に増加したときに、制御装置４７が、冷却管４ａまたは４ｂの入口部分に異物が引っ掛かって、冷却水７ａまたは７ｂの流れが不十分になったと判断して出力されるものでもよい。
【００３７】
次に、作用を説明する。
【００３８】
通常運転中には、制御装置４７によって、図１のように、入口弁Ｖ１、Ｖ２、出口弁Ｖ３、Ｖ４の各弁が開の状態で、入口側連絡弁Ｖ５、出口側連絡弁Ｖ６、排出弁Ｖ７、Ｖ８の各弁が閉の状態となっており、復水器１の冷却管４ａ、４ｂ内の冷却水７ａ、７ｂは、図１の矢印で示すように正方向に流れる。
【００３９】
即ち、冷却水は、まず循環水配管２７ａ、２７ｂにより復水器１に導かれる。この復水器１の冷却管４ａ、４ｂ内を流れる冷却水７ａ、７ｂは、復水器１内で冷却管４ａ、４ｂの外側を通過する低圧タービン１０からの蒸気１３との熱交換により温度を上昇させ、その後に復水器１から排出され、循環水配管３５ａ、３５ｂを通って復水器２に導かれる。復水器２に導かれた冷却水８ａ、８ｂは、この復水器２の冷却管５ａ、５ｂ内を流れ、復水器２内で冷却管５ａ、５ｂの外側を通過する低圧タービン１１からの蒸気１４との熱交換により温度を上昇させ、その後に復水器２から排出され、循環水配管３６ａ、３６ｂを通って復水器３に導かれる。復水器３に導かれた冷却水９ａ、９ｂは、この復水器３の冷却管６ａ、６ｂ内を流れ、復水器３内で冷却管６ａ、６ｂの外側を通過する低圧タービン１２からの蒸気１５との熱交換により温度を上昇させ、その後に復水器３から排出され、循環水配管３４ａ、３４ｂを通って排出される。
【００４０】
一方、復水器１の冷却管４ａの入口部分を洗浄する場合には、制御装置４７は、図２に示すように、入口弁Ｖ１を開→閉、入口側連絡弁Ｖ５を閉→開、出口側連絡弁Ｖ６を閉→開、排出弁Ｖ７を閉→開に各弁の切り替えを行う。
【００４１】
このように各弁Ｖ１、Ｖ５、Ｖ６、Ｖ７を切り替えることにより、循環水配管２７ａ内を流れてきた冷却水は、入口側連絡弁Ｖ５を通り循環水配管２７ｂに合流し、冷却管４ｂ内を通って復水器１から排出される。そして、出口弁Ｖ４を通過した冷却水は、循環水配管３５ｂと出口側連絡弁Ｖ６側とへ分流される。出口側連絡弁Ｖ６を通過した冷却水は、更に循環水配管３５ａと出口弁Ｖ３に分流される。出口弁Ｖ３を通過した冷却水７ａは、復水器１の冷却管４ａ内を図３の矢印の方向に逆流し、排出弁Ｖ７を通り排出管４５から排出される。
【００４２】
このように復水器１の冷却管４ａ内を冷却水７ａが逆流することにより、この冷却管４ａの入口部分に引っ掛かったゴミ等の異物が、冷却水７ａと共に、排出弁Ｖ７を経て排出管４５から排出されて冷却管４ａを洗浄することができる。
【００４３】
他方、復水器１の冷却管４ｂの入口部分を洗浄する場合には、制御装置４７は、図３に示すように、入口弁Ｖ２を開→閉、入口側連絡弁Ｖ５を閉→開、出口側連絡弁Ｖ６を閉→開、排出弁Ｖ８を閉→開に各弁の切り替えを行う。
【００４４】
このように各弁Ｖ２、Ｖ５、Ｖ６、Ｖ８を切り替えることにより、循環水配管２７ｂ内を流れてきた冷却水は、入口側連絡弁Ｖ５を通って循環水配管２７ａに合流し、冷却管４ａ内を通って復水器１から排出される。そして、出口弁Ｖ３を通過した冷却水は、循環水配管３５ａと出口側連絡弁Ｖ６側とに分流される。出口側連絡弁Ｖ６を通過した冷却水は、更に循環水配管３５ｂと出口弁Ｖ４に分流される。出口弁Ｖ４を通過した冷却水７ｂは、復水器１の冷却管４ｂ内を矢印の方向に逆流し、排出弁Ｖ８を通り排出管４６から排出される。
【００４５】
このように復水器１の冷却管４ｂ内を冷却水７ｂが逆流することにより、この冷却管４ｂの入口部分に引っ掛かったゴミ等の異物が、冷却水７ｂと共に、排出弁Ｖ８を経て排出管４６から排出されて冷却管４ｂを洗浄することができる。
【００４６】
従って、本実施の形態によれば、次の効果を奏する。
【００４７】
冷却水の流れの最上流に位置する復水器１の冷却管４ａ、４ｂには、入口部分に冷却水７ａ、７ｂ中の異物が引っ掛かる可能性があるが、この復水器１の冷却管４ａまたは４ｂ内で冷却水７ａまたは７ｂをそれぞれ逆流させてこの冷却管４ａまたは４ｂを洗浄することにより、この冷却管４ａまたは４ｂの入口部分に引っ掛かった異物を良好に除去できる。
【００４８】
［Ｂ］第２の実施の形態（図４〜図６）
図４は、本発明に係る復水器洗浄システムの第２の実施の形態を示す平面視系統図である。この第２の実施の形態において、前記第１の実施の形態及び背景技術と同様な部分については、同一の符号を付すことにより説明を簡略化し、または省略する。
【００４９】
本実施の形態の復水器洗浄システムＢが前記実施の形態の復水器洗浄システムＡと異なる点は、復水器１に接続される循環水配管等に入口弁Ｖ１、Ｖ２、出口弁Ｖ３、Ｖ４、入口側連絡弁Ｖ５、出口側連絡弁Ｖ６、排出弁Ｖ７、Ｖ８を配設するだけでなく、復水器２に接続される循環水配管等に入口弁Ｖ１１、Ｖ１２、出口弁Ｖ１３、Ｖ１４、入口側連絡弁Ｖ１５、出口側連絡弁Ｖ１６、出口弁Ｖ１７、Ｖ１８を配設し、更に、復水器３に接続される循環水配管等に入口弁Ｖ２１、Ｖ２２、出口弁Ｖ２３、Ｖ２４、入口側連絡弁Ｖ２５、出口側連絡弁Ｖ２６、排出弁Ｖ２７、Ｖ２８を配設し、これらの弁Ｖ１〜Ｖ８、Ｖ１１〜Ｖ１８、Ｖ２１〜Ｖ２８の開閉の切替を制御装置４９により実行する点である。
【００５０】
つまり、復水器２における冷却管５ａ、５ｂのそれぞれに冷却水８ａ、８ｂを流入させる流入配管としての循環水配管３５ａ、３５ｂのそれぞれには、復水器２の入口水室５０ａ、５０ｂの近傍に入口弁Ｖ１１、Ｖ１２が配設されている。更に、復水器２の冷却管５ａ、５ｂのそれぞれから冷却水８ａ、８ｂを流出させる流出配管としての循環水配管３６ａ、３６ｂのそれぞれには、復水器２の出口水室５１ａ、５１ｂの近傍に出口弁Ｖ１３、Ｖ１４が配設されている。
【００５１】
循環水配管３５ａ、３５ｂには、それぞれの入口弁Ｖ１１、Ｖ１２の上流側を接続可能な入口側連絡弁Ｖ１５を備えた入口側接続管５２が連結されている。更に、循環水配管３６ａ、３６ｂには、それぞれの出口弁Ｖ１３、Ｖ１４の下流側を接続可能な出口側連絡弁Ｖ１６を備えた出口側接続管５３が連結されている。
【００５２】
循環水配管３５ａには、復水器２の入口水室５０ａの近傍で入口弁Ｖ１１の下流側から、排出弁Ｖ１７を備えた排出管５４が分岐して接続されている。また、循環水配管３５ｂには、復水器２の入口水室５０ｂの近傍で入口弁Ｖ１２の下流側から、排出弁Ｖ１８を備えた排出管５５が分岐して接続されている。
【００５３】
また、復水器３における冷却管６ａ、６ｂのそれぞれに冷却水９ａ、９ｂを流入させる流入配管としての循環水配管３６ａ、３６ｂのそれぞれには、復水器３の入口水室５６ａ、５６ｂの近傍に入口弁Ｖ２１、Ｖ２２が配設されている。更に、復水器３の冷却管６ａ、６ｂのそれぞれから冷却水９ａ、９ｂを流出させる流出配管としての循環水配管３４ａ、３４ｂのそれぞれには、復水器３の出口水室５７ａ、５７ｂの近傍に出口弁Ｖ２３、Ｖ２４が配設されている。
【００５４】
循環水配管３６ａ、３６ｂには、それぞれの入口弁Ｖ２１、Ｖ２２の上流側を接続可能な入口側連絡弁Ｖ２５を備えた入口側接続管５８が連結されている。更に、循環水配管３４ａ、３４ｂには、それぞれの出口弁Ｖ２３、Ｖ２４の下流側を接続可能な出口側連絡弁Ｖ２６を備えた出口側接続管５９が連結されている。
【００５５】
循環水配管３６ａには、復水器３の入口水室５６ａの近傍で入口弁Ｖ２１の下流側から、排出弁Ｖ２７を備えた排出管６０が分岐して接続されている。また、循環水配管３６ｂには、復水器３の入口水室５６ｂの近傍で入口弁Ｖ２２の下流側から、排出弁Ｖ２８を備えた排出管６１が分岐して接続されている。
【００５６】
制御装置４９は、復水器１についての各弁Ｖ１〜Ｖ８の開閉の切替を制御装置４７と同様に実行する。更に制御装置４９は、復水器２についての各弁Ｖ１１〜Ｖ１８の開閉の切替を実行することで、復水器２の少なくとも１本の冷却管５ａまたは５ｂ内で冷却水を逆流させてこの冷却管５ａまたは５ｂを洗浄する。つまり、図５に示すように、冷却管５ａ内で冷却水８ａを逆流させてこの冷却管５ａを洗浄し、冷却管５ａの入口側に引っ掛かった異物を排出管５４から排出する。また、図６に示すように、冷却管５ｂ内で冷却水８ｂを逆流させてこの冷却管５ｂを洗浄し、冷却管５ｂの入口部分に引っ掛かった異物を排出管５５から排出する。
【００５７】
そして、図４に示す制御装置４９は、各弁Ｖ１１〜Ｖ１８の開閉の切替を、異物検出信号に基づいて適宜実行し、またはタイマー（例えば内蔵タイマー４８）によって定期的に実行する。この異物検出信号は、例えば、復水器２の冷却管５ａにおける入口圧力Ｐ１１（つまり入口水室５０ａ内の圧力）と出口圧力Ｐ１２（出口水室５１ａ内の圧力）との圧力差が所定値以上に増加したとき（Ｐ１２≪Ｐ１１）に、冷却管５ａの入口部分に異物が引っ掛かっていると判断して制御装置４９が出力するものである。また、この異物検出信号は、復水器２の冷却管５ｂにおける入口圧力Ｐ１３（つまり入口水室５０ｂ内の圧力）と出口圧力Ｐ１４（つまり出口水室５１ｂ内の圧力）との圧力差が所定値以上に増加したとき（Ｐ１４≪Ｐ１３）に、冷却管５ｂの入口部分に異物が引っ掛かっていると判断して制御装置４９が出力するものである。
【００５８】
尚、前記異物検出信号は、復水器２の器内圧力が所定値以上に増加したときに、制御装置４９が、冷却管５ａまたは５ｂの入口部分に異物が引っ掛かっていると判断して出力されるものでもよい。
【００５９】
また、制御装置４９は、復水器３についての各弁Ｖ２１〜Ｖ２８の開閉の切替を実行することで、復水器３の少なくとも１本の冷却管６ａまたは６ｂ内で冷却水を逆流させてこの冷却管６ａまたは６ｂを洗浄する。つまり、図示しないが、冷却管６ａ内で冷却水９ａを逆流させてこの冷却管６ａを洗浄し、冷却管６ａの入口側に引っ掛かった異物を排出管６０から排出する。また、冷却管６ｂ内で冷却水９ｂを逆流させてこの冷却管６ｂを洗浄し、冷却管６ｂの入口部分に引っ掛かった異物を排出管６１から排出する。
【００６０】
そして、制御装置４９は、各弁Ｖ２１〜Ｖ２８の開閉の切替を、異物検出信号に基づいて適宜実行し、またはタイマー（例えば内蔵タイマー４８）によって定期的に実行する。この異物検出信号は、例えば、復水器３の冷却管６ａにおける入口圧力Ｐ２１（つまり入口水室５６ａ内の圧力）と出口圧力Ｐ２２（出口水室５７ａ内の圧力）との圧力差が所定値以上に増加したとき（Ｐ２２≪Ｐ２１）に、冷却管６ａの入口部分に異物が引っ掛かっていると判断して制御装置４９が出力するものである。また、この異物検出信号は、復水器３の冷却管６ｂにおける入口圧力Ｐ２３（つまり入口水室５６ｂ内の圧力）と出口圧力Ｐ２４（つまり出口水室５７ｂ内の圧力）との圧力差が所定値以上に増加したとき（Ｐ２４≪Ｐ２３）に、冷却管６ｂの入口部分に異物が引っ掛かっていると判断して制御装置４９が出力するものである。
【００６１】
尚、前記異物検出信号は、復水器３の器内圧力が所定値以上に増加したときに、制御装置４９が、冷却管６ａまたは６ｂの入口部分に異物が引っ掛かっていると判断して出力されるものでもよい。
【００６２】
次に、作用を説明する。
【００６３】
通常運転中には、制御装置４９によって、図４に示すように、入口弁Ｖ１、Ｖ２、出口弁Ｖ３、Ｖ４の各弁が開の状態で、入口側連絡弁Ｖ５、出口側連絡弁Ｖ６、排出弁Ｖ７、Ｖ８の各弁が閉の状態となっており、復水器１の冷却管４ａ、４ｂ内の冷却水７ａ、７ｂは、図４の矢印で示すように正方向に流れる。
【００６４】
また、制御装置４９によって、入口弁Ｖ１１、Ｖ１２、出口弁Ｖ１３、Ｖ１４の各弁が開の状態で、入口側連絡弁Ｖ１５、出口側連絡弁Ｖ１６、排出弁Ｖ１７、Ｖ１８の各弁が閉の状態となっており、復水器２の冷却管５ａ、５ｂ内の冷却水８ａ、８ｂは図４の矢印で示すように正方向に流れている。
【００６５】
更に、制御装置４９によって、入口弁Ｖ２１、Ｖ２２、出口弁Ｖ２３、Ｖ２４の各弁が開の状態で、入口側連絡弁Ｖ２５、出口側連絡弁Ｖ２６、排出弁Ｖ２７、Ｖ２８の各弁が閉の状態となっており、復水器３の冷却管６ａ、６ｂ内の冷却水９ａ、９ｂは図４の矢印で示すように正方向に流れている。
【００６６】
一方、復水器２の冷却管５ａを洗浄する場合には、制御装置４９は、図５に示すように、入口弁Ｖ１１を開→閉、入口側連絡弁Ｖ１５を閉→開、出口側連絡弁Ｖ１６を閉→開、排出弁Ｖ１７を閉→開に各弁の切り替えを行う。
【００６７】
このように各弁Ｖ１１、Ｖ１５、Ｖ１６、Ｖ１７を切り替えることにより、循環水配管３５ａ内を流れてきた冷却水は、入口側連絡弁Ｖ１５を通って循環水配管３５ｂに合流し、冷却管５ｂ内を通り復水器２から排出される。そして、出口弁Ｖ１４を通過した冷却水は、循環水配管３６ｂと出口側連絡弁Ｖ１６側とに分流する。出口側連絡弁Ｖ１６を通過した冷却水は、更に循環水配管３６ａと出口弁Ｖ１３に分流する。出口弁Ｖ１３を通過した冷却水８ａは、復水器２の冷却管５ａ内を図５の矢印の方向に逆流し、排出弁Ｖ１７を通り排出管５４から排出される。
【００６８】
このように復水器２の冷却管５ａ内を冷却水８ａが逆流することにより、この冷却管５ａの入口部分に引っ掛かったゴミ等の異物を、冷却水８ａと共に、排出弁Ｖ１７を経て排出管５４から排出して冷却管５ａを洗浄することができる。
【００６９】
他方、復水器２の冷却管５ｂを洗浄する場合には、制御装置４９は、図６に示すように、入口弁Ｖ１２を開→閉、入口側連絡弁Ｖ１５を閉→開、出口側連絡弁Ｖ１６を閉→開、排出弁Ｖ１８を閉→開に各弁の切り替えを行う。
【００７０】
このように各弁Ｖ１２、Ｖ１５、Ｖ１６、Ｖ１８を切り替えることにより、循環水配管３５ｂ内を流れてきた冷却水は、入口側連絡弁Ｖ１５を通って循環水配管３５ａに合流し、冷却管５ａ内を通り復水器２から排出される。そして、出口弁Ｖ１３を通過した冷却水は、循環水配管３６ａと出口側連絡弁Ｖ１６側とに分流する。出口側連絡弁Ｖ１６を通過した冷却水は、更に循環水配管３６ｂと出口弁Ｖ１４に分流する。出口弁Ｖ１４を通過した冷却水８ｂは、復水器２の冷却管５ｂ内を図６の矢印の方向に逆流し、排出弁Ｖ１８を通り排出管５５から排出される。
【００７１】
このように復水器２の冷却管５ｂ内を冷却水８ｂが逆流することにより、この冷却管５ｂの入口部分に引っ掛かったゴミ等の異物を、冷却水８ｂと共に、排出弁Ｖ１８を経て排出管５５から排出して冷却管５ｂを洗浄することができる。
【００７２】
尚、この作用において、復水器１の冷却管４ａまたは４ｂの洗浄については第１の実施の形態と同様であり、同様の効果を奏する。また、復水器３の冷却管６ａまたは６ｂの洗浄については説明を省略するが、復水器２の冷却管５ａまたは５ｂの洗浄の場合と同様である。
【００７３】
復水器３の冷却管６ａ内を冷却水９ａが逆流することにより、この冷却管６ａの入口部分に引っ掛かったゴミ等の異物を、冷却水９ａと共に、排出弁Ｖ２７を経て排出管６０から排出して冷却管６ａを洗浄することができる。また、復水器３の冷却管６ｂ内を冷却水９ｂが逆流することにより、この冷却管６ｂの入口部分に引っ掛かったゴミ等の異物を、冷却水９ｂと共に、排出弁Ｖ２８を経て排出管６１から排出して冷却管６ｂを洗浄することができる。
【００７４】
従って、本実施の形態によれば、次の効果を奏する。
【００７５】
冷却水の流れの最上流に位置する復水器１の冷却管４ａ、４ｂには、入口部分に冷却水７ａ、７ｂ中の異物が引っ掛かる可能性が高いが、異物の形状（例えば楕円形状）によっては下流側の復水器２の冷却管５ａ、５ｂまたは復水器３の冷却管６ａ、６ｂに異物が引っ掛かる場合がある。そこで、各復水器１、２、３のそれぞれ１本の冷却管４ａ（または冷却管４ｂ）、冷却管５ａ（または冷却管５ｂ）、冷却管６ａ（または冷却管６ｂ）内で冷却水を逆流させてこの冷却管を洗浄することにより、各復水器１、２、３の冷却管４ａ、４ｂ、５ａ、５ｂ、６ａ、６ｂの入口部分に引っ掛かった異物を良好に除去できる。
【００７６】
以上、本発明を上記実施の形態に基づいて説明したが、本発明はこれに限定されるものではない。例えば、本実施の形態では、復水器１、２、３の冷却管が２系統の場合を述べたが、３系統以上であってもよい。更に、復水器は４胴以上が配置されていてもよい。
【符号の説明】
【００７７】
１、２、３  復水器
４ａ、４ｂ  冷却管
５ａ、５ｂ  冷却管
６ａ、６ｂ  冷却管
７ａ、７ｂ  冷却水
８ａ、８ｂ  冷却水
９ａ、９ｂ  冷却水
２７ａ、２７ｂ  循環水配管（流入配管）
３４ａ、３４ｂ  循環水配管（流出配管）
３５ａ、３５ｂ  循環水配管（流出配管、流入配管）
３６ａ、３６ｂ  循環水配管（流出配管、流入配管）
４３  入口側接続管
４４  出口側接続管
４５、４６  排出管
４７  制御装置
４８  内蔵タイマー
４９  制御装置
５２  入口側接続管
５３  出口側接続管
５４、５５  排出管
５８  入口側接続管
５９  出口側接続管
６０、６１  排出管
Ａ、Ｂ  復水洗浄システム
Ｖ１、Ｖ２  入口弁
Ｖ３、Ｖ４  出口弁
Ｖ５  入口側連絡弁
Ｖ６  出口側連絡弁
Ｖ７、Ｖ８  排出弁
Ｖ１１、Ｖ１２  入口弁
Ｖ１３、Ｖ１４  出口弁
Ｖ１５  入口側連絡弁
Ｖ１６  出口側連絡弁
Ｖ１７、Ｖ１８  排出弁
Ｖ２１、Ｖ１２  入口弁
Ｖ２３、Ｖ２４  出口弁
Ｖ２５  入口側連絡弁
Ｖ２６  出口側連絡弁
Ｖ２７、Ｖ２８  排出弁
Ｐ１、Ｐ３  入口圧力
Ｐ２、Ｐ４  出口圧力
Ｐ１１、Ｐ１３  入口圧力
Ｐ１２、Ｐ１４  出口圧力
Ｐ２１、Ｐ２３  入口圧力
Ｐ２２、Ｐ２４  出口圧力
【図１】
2011052920.tif 000003
【図２】
2011052920.tif 000004
【図３】
2011052920.tif 000005
【図４】
2011052920.tif 000006
【図５】
2011052920.tif 000007
【図６】
2011052920.tif 000008
【図７】
2011052920.tif 000009
【図８】
2011052920.tif 000010